(57)【要約】【課題】  コンピュータケース内に熱を堆積させず、且つ二つの冷却ファンの一方より導入し一方より排出する動作により、全体の冷却装置内の空気流動を加速して最良の冷却効果を達成する冷却装置の提供。【解決手段】  ベースを具え、該ベースの上に隣り合う第１ヒートシンクと第２ヒートシンクが設けられ、別に二つのヒートシンクの未対向の一側に相互に対応する第１冷却ファンと第２冷却ファンが設けられ、二つの冷却ファンの羽根の回転方向が同じとされ、これにより第１冷却ファンが外界の風を二つのヒートシンク部分に導入し、さらに第２冷却ファンが二つのヒートシンク部分の熱を外界に排出する。【選択図】        図７
0003104433.tif 000002
【実用新案登録請求の範囲】
【請求項１】
発熱する電子装置の上表面に取り付けられるベースと、
該ベースの上に取り付けられ、離間配置された複数のフィンが重ね置かれてなる第１ヒートシンクと、
第１ヒートシンクの隣に位置し、離間配置された複数のフィンが重ね置かれてなる第２ヒートシンクと、
第１ヒートシンクの第２ヒートシンクと隣り合わない反対側の外側に位置する第１冷却ファンと、
第２ヒートシンクの第１ヒートシンクと隣り合わない反対側の外側に位置する第２冷却ファンと、
を具え、第１冷却ファンと第２冷却ファンの回転方向が同じとされたことを特徴とする、コンピュータ用冷却装置。
【請求項２】
請求項１記載のコンピュータ用冷却装置において、ベースの四周よりそれぞれ凸塊が延伸され、これら凸塊にバネを巻装したネジ部品が螺合されたことを特徴とする、コンピュータ用冷却装置。
【請求項３】
請求項１記載のコンピュータ用冷却装置において、ベースの一側に相互に一定距離離間した二つの固定片がネジ部品で固定されたことを特徴とする、コンピュータ用冷却装置。
【請求項４】
請求項１記載のコンピュータ用冷却装置において、第１ヒートシンクの複数のフィンが直立するよう配列されたことを特徴とする、コンピュータ用冷却装置。
【請求項５】
請求項１又は請求項４記載のコンピュータ用冷却装置において、第１ヒートシンクにコ形ヒートパイプが組み付けられ、該コ形ヒートパイプの一方の自由端がそのフィンを貫通し、もう一方の自由端がベースの中間部分に設けられた凹溝内に設置されたことを特徴とする、コンピュータ用冷却装置。
【請求項６】
請求項１記載のコンピュータ用冷却装置において、第２ヒートシンクのフィンが横向き配列を呈することを特徴とする、コンピュータ用冷却装置。
【請求項７】
請求項１又は請求項６記載のコンピュータ用冷却装置において、第２ヒートシンクにＬ形ヒートパイプが組み付けられ、該Ｌ形ヒートパイプの一方の自由端がそのフィンを貫通し、もう一方の自由端が導熱板に設置され、該導熱板がベースの底面に固定され、第２ヒートシンクがベースの一側の上方部分に懸吊状態とされ、並びに第１ヒートシンクと隣り合うよう配置されたことを特徴とする、コンピュータ用冷却装置。
【請求項８】
請求項３のコンピュータ用冷却装置において、第１ヒートシンクがネジ部品で二つの固定片の間に固定されたことを特徴とする、コンピュータ用冷却装置。
【請求項９】
請求項１のコンピュータ用冷却装置において、第２ヒートシンクの二つの対応する側辺より下向きに位置決め片が延伸され、二つの位置決め片が発熱する電子装置のプリント回路板に直接ネジ止めされることを特徴とする、コンピュータ用冷却装置。
【請求項１０】
請求項１のコンピュータ用冷却装置において、第１冷却ファンが外界の風を隣り合う二つのヒートシンク部分に導入し、第２冷却ファンが二つのヒートシンク部分の伝導する熱を外界に排出することを特徴とする、コンピュータ用冷却装置。
【考案の詳細な説明】
【技術分野】
【０００１】
本考案は一種のコンピュータ用冷却装置に係り、特に発熱電子装置冷却用の冷却装置であって、冷却装置が二つ以上の冷却ファンを具え、大幅に冷却装置の冷却効率が高められたものに関する。
【背景技術】
【０００２】
ＣＰＵ２０ａに使用される伝統的な冷却装置１０ａは図１に示されるようであり、該冷却装置１０ａはＣＰＵ２０ａの上に当接する導熱板１ａを具え、導熱板１ａの上にヒートシンク２ａが設けられ、該ヒートシンク２ａは複数の等間隔に且つ直立するよう配置されたフィン２１ａで更正されている。また、ヒートシンク２ａの上に覆い３ａが設けられ、該覆い３ａの上に冷却ファン４ａが固定されている。使用時に、ＣＰＵ２０ａが運転時に発生する熱は導熱板１ａより上向きにヒートシンク２ａに伝えられ、さらに冷却ファン４ａにより外界の空気が該ヒートシンク２ａ部分に導入されて、ヒートシンク２ａの熱が奪われ、こうして冷却の効果が達成される。
【０００３】
しかし、上述の伝統的な冷却装置１０ａが冷却動作を行なうとき、熱は上向きに伝導され、冷却ファン４ａの送る外界の風は下向きにヒートシンク２ａ部分に導入され、このため却って熱と外界の風がヒートシンク２ａ部分に集中し、熱を外界に奪いさることができなくなり、さらには熱が冷却ファン４ａの吸入した風によりＣＰＵ２０ａに吹きつけられて必要な冷却効果を達成できなくなる。
【考案の開示】
【考案が解決しようとする課題】
【０００４】
本考案の主要な目的は、一種のコンピュータ用冷却装置を提供することにあり、それは冷却装置に二つのヒートシンク及び冷却ファンを設けて、大幅に全体の冷却装置の冷却効率を高めたものとする。
【課題を解決するための手段】
【０００５】
請求項１の考案は、発熱する電子装置の上表面に取り付けられるベースと、
該ベースの上に取り付けられ、離間配置された複数のフィンが重ね置かれてなる第１ヒートシンクと、
第１ヒートシンクの隣に位置し、離間配置された複数のフィンが重ね置かれてなる第２ヒートシンクと、
第１ヒートシンクの第２ヒートシンクと隣り合わない反対側の外側に位置する第１冷却ファンと、
第２ヒートシンクの第１ヒートシンクと隣り合わない反対側の外側に位置する第２冷却ファンと、
を具え、第１冷却ファンと第２冷却ファンの回転方向が同じとされたことを特徴とする、コンピュータ用冷却装置としている。
請求項２の考案は、請求項１記載のコンピュータ用冷却装置において、ベースの四周よりそれぞれ凸塊が延伸され、これら凸塊にバネを巻装したネジ部品が螺合されたことを特徴とする、コンピュータ用冷却装置としている。
請求項３の考案は、請求項１記載のコンピュータ用冷却装置において、ベースの一側に相互に一定距離離間した二つの固定片がネジ部品で固定されたことを特徴とする、コンピュータ用冷却装置としている。
請求項４の考案は、請求項１記載のコンピュータ用冷却装置において、第１ヒートシンクの複数のフィンが直立するよう配列されたことを特徴とする、コンピュータ用冷却装置としている。
請求項５の考案は、請求項１又は請求項４記載のコンピュータ用冷却装置において、第１ヒートシンクにコ形ヒートパイプが組み付けられ、該コ形ヒートパイプの一方の自由端がそのフィンを貫通し、もう一方の自由端がベースの中間部分に設けられた凹溝内に設置されたことを特徴とする、コンピュータ用冷却装置としている。
請求項６の考案は、請求項１記載のコンピュータ用冷却装置において、第２ヒートシンクのフィンが横向き配列を呈することを特徴とする、コンピュータ用冷却装置としている。
請求項７の考案は、請求項１又は請求項６記載のコンピュータ用冷却装置において、第２ヒートシンクにＬ形ヒートパイプが組み付けられ、該Ｌ形ヒートパイプの一方の自由端がそのフィンを貫通し、もう一方の自由端が導熱板に設置され、該導熱板がベースの底面に固定され、第２ヒートシンクがベースの一側の上方部分に懸吊状態とされ、並びに第１ヒートシンクと隣り合うよう配置されたことを特徴とする、コンピュータ用冷却装置としている。
請求項８の考案は、請求項３のコンピュータ用冷却装置において、第１ヒートシンクがネジ部品で二つの固定片の間に固定されたことを特徴とする、コンピュータ用冷却装置としている。
請求項９の考案は、請求項１のコンピュータ用冷却装置において、第２ヒートシンクの二つの対応する側辺より下向きに位置決め片が延伸され、二つの位置決め片が発熱する電子装置のプリント回路板に直接ネジ止めされることを特徴とする、コンピュータ用冷却装置としている。
請求項１０の考案は、請求項１のコンピュータ用冷却装置において、第１冷却ファンが外界の風を隣り合う二つのヒートシンク部分に導入し、第２冷却ファンが二つのヒートシンク部分の伝導する熱を外界に排出することを特徴とする、コンピュータ用冷却装置としている。
【考案の効果】
【０００６】
本考案のコンピュータ用冷却装置は冷却装置に二つのヒートシンク及び冷却ファンを設けて、大幅に全体の冷却装置の冷却効率を高める。
【考案を実施するための最良の形態】
【０００７】
本考案のコンピュータ用冷却装置は、ベースを具え、該ベースの上に隣り合う第１ヒートシンクと第２ヒートシンクが設けられ、別に二つのヒートシンクの未対向の一側に相互に対応する第１冷却ファンと第２冷却ファンが設けられ、二つの冷却ファンの羽根の回転方向が同じとされ、これにより第１冷却ファンが外界の風を二つのヒートシンク部分に導入し、さらに第２冷却ファンが二つのヒートシンク部分の熱を外界に排出する。ゆえに、コンピュータケース内に熱を堆積させず、且つ二つの冷却ファンの一方より導入し一方より排出する動作により、全体の冷却装置内の空気流量を増して最良の冷却効果を達成する。
【０００８】
本考案はまた、各ヒートシンク中に複数のヒートパイプが内蔵されて冷却装置の体積が縮小され、第１ヒートシンクは複数の直立配置されたフィンが重ね置かれてなり、これらフィンにコ形ヒートパイプが組み合わされ、該コ形ヒートパイプの一方の自由端がこれらフィンに挿通され、もう一方の自由端がベースに設けられた凹溝中に設置され、第２ヒートシンクは複数の横向き配列されたフィンが重ね置かれてなり、これらフィンに複数のＬ形ヒートパイプが組み合わされ、該Ｌ形ヒートパイプの一方の自由端がこれらフィンに挿通され、もう一方の自由端が導熱板に設置され、該導熱板がベースの底面に固定されている。
【実施例１】
【０００９】
本考案のコンピュータ用冷却装置１０は図２に示されるように、その最も好ましい実施例において、ＣＰＵ２０の冷却に用いられる（図７参照）。そのうち、冷却装置１０はベース１を具え、該ベース１の四辺よりそれぞれ凸塊１１が延伸され、これら凸塊１１にバネ１２１が巻装されたネジ部品１２が挿入され、これらネジ部品１２により冷却装置１０がプリント回路板３０の上に固定される（図７参照）。また、ベース１の一側辺にネジ部品１３で二つの相互に一定距離離間した固定片１４が固定される。
【００１０】
本考案中、図２に示されるように、ベース１の上に相互に隣り合う第１ヒートシンク２と第２ヒートシンク３が設けられ、そのうち、第１ヒートシンク２は全体がベース１の上に位置し、且つベース１に設けられた二つの固定片１４に近接し、該第１ヒートシンク２は直立するよう配列された複数のフィン２１が重ね置かれてなり、これらフィン２１にコ形ヒートパイプ２２が組み合わされ、該コ形ヒートパイプ２２がこれらフィン２１中に内蔵され、該コ形ヒートパイプ２２内部に毛細組織及び作業流体が設けられて、毛細組織及び作業流体の作動により冷却の効果を達成する。コ形ヒートパイプ２２の一方の自由端２２１はこれらフィン２１に挿通され、もう一方の自由端２２２はベース１の中間部分に設けられた凹溝１５に設置される。
【００１１】
第２ヒートシンク３は複数の横向き配列されたフィン３１が重ね置かれてなり、これらフィン３１に複数のＬ形ヒートパイプ３２が挿通され、これらＬ形ヒートパイプ３２はこれらフィン３１中に内蔵され、これらＬ形ヒートパイプ３２内部に毛細組織と作業流体が設けられ、該毛細組織及び作業流体の作動により冷却の効果を達成する。これらＬ形ヒートパイプ３２の一方の自由端３２１はこれらフィン３１に挿通され、もう一方の自由端３２２は導熱板３３の上に設置され、該導熱板３３はベース１の底面に固定されて、第２ヒートシンク３がベース１の一側辺の上方部分に宙に浮いた状態で保持され、並びに第１ヒートシンク２と隣り合う。
【００１２】
図３に示されるように、第１ヒートシンク２と第２ヒートシンク３の対向しない側辺に、相互に対応する第１冷却ファン４と第２冷却ファン５が設けられ、該第１冷却ファン４はネジ部品４１で二つの固定片１４の間に固定され、第１ヒートシンク２の側辺に位置し、第２冷却ファン５は、その二つの相互に対応する側辺が下向きに延伸されて位置決め片５１が設けられ、二つの位置決め片５１がプリント回路板３０に螺子止めされ（図７）、且つ第２ヒートシンク３の外側辺部分に位置する。第１、第２冷却ファン４、５の羽根の回転方向は同じとされ、即ち、第１冷却ファン４は外界の風を隣り合う第１ヒートシンク２と第２ヒートシンク３部分に導入し、第２冷却ファン５は第１ヒートシンク２と第２ヒートシンク３部分の伝導する熱を外界に排出する。
【００１３】
図４、５、６に示されるように、本考案の冷却装置１０を組み立てる時は、第１ヒートシンク２をベース１の上に組み付け、並びにそのコ形ヒートパイプ２２の一方の自由端２２２をベース１の凹溝１５中に設置し、次に、第２ヒートシンク３のＬ形ヒートパイプ３２の一端に固定された導熱板３３をベース１の底面部分に固定して第２ヒートシンク３をベース１の一側の上方部分に宙づり状態となるようにし、並びに第１ヒートシンク２と隣り合わせ、続いて第１冷却ファン４をベース１に設けられた二つの固定片１４中に螺子止めし、第１ヒートシンク２の一側に位置させ、最後にベース１及び第２冷却ファン５をプリント回路板３０に固定して、第２冷却ファン５を第２ヒートシンク３の一側に当接させれば、本考案の冷却装置１０の組立が完成する。
【００１４】
図７に示されるように、本考案の冷却装置１０が作動する時、第１冷却ファン４がその羽根の回転方向により外界の風を第１、第２ヒートシンク２、３部分に導入し、外界の風の比較的低い温度を利用して冷却を行ない、且つコ形ヒートパイプ２２及びＬ形ヒートパイプ３２により冷却を行なう。次に、第２冷却ファン５がその羽根の回転方向により第１、第２ヒートシンク２、３部分の熱を外界に吸い出し、熱が第１、第２ヒートシンク２、３部分に累積するのを防止する。こうして、冷却装置１０が不断に循環動作することで、ＣＰＵ２０の冷却の目的を達成する。
【００１５】
本考案中、第１、第２冷却ファン４、５の一方が導入し、一方が排出する動作により、全体の冷却装置１０の空気流速が加速され空気流量が増されて、全体の冷却装置１０の冷却効率が高められる。また、直接コ形ヒートパイプ２２、Ｌ形ヒートパイプ３２に対する冷却を行なえるため、コ形ヒートパイプ２２、Ｌ形ヒートパイプ３２の運転を補助し、これによりコ形ヒートパイプ２２とＬ形ヒートパイプ３２の使用寿命を増すことができる。また、コ形ヒートパイプ２２、Ｌ形ヒートパイプ３２は第１、第２ヒートシンク２、３中に内蔵されるため、全体の冷却装置１０の面積を減らすことができる。
【００１６】
以上述べたように、本考案の冷却装置は以上の構造により確実に上述の機能を達成できる。且つ本考案の構造はその出願前に頒布された刊行物に記載がなく、また公開使用されていないため、新規性を有している。なお、以上の実施例に伴いなしうる細部の修飾或いは改変は、いずれも本考案の請求範囲に属するものとする。
【図面の簡単な説明】
【００１７】
【図１】周知の冷却装置の立体外観図である。
【図２】本考案の冷却装置の立体分解図である。
【図３】本考案の冷却ファンの組付け前の外観図である。
【図４】本考案の冷却ファンの組付け後の外観図である。
【図５】図４の断面図である。
【図６】図４の別角度の断面図である。
【図７】図４の冷却装置の動作表示断面図である。
【符号の説明】
【００１８】
１０ａ  冷却装置                    ２０ａ  ＣＰＵ
１ａ  導熱板                        ２ａ  ヒートシンク
２１ａ  フィン                      ３ａ  覆い
４ａ  冷却ファン
１０  冷却装置                      １  ベース
１１  凸塊                          １２１  バネ
１２、１３、４１  ネジ部品
１４  固定片                        １５  凹溝
２  第１ヒートシンク                ２１、３１  フィン
２２、３２  ヒートパイプ            ３  第２ヒートシンク
３３  導熱板                        ４  第１冷却ファン
５  第２冷却ファン                  ５１  位置決め片
２０  ＣＰＵ                        ３０  プリント回路板
２２１、２２２、３２１、３２２  自由端
【図１】
0003104433.tif 000003
【図２】
0003104433.tif 000004
【図３】
0003104433.tif 000005
【図４】
0003104433.tif 000006
【図５】
0003104433.tif 000007
【図６】
0003104433.tif 000008
【図７】
0003104433.tif 000009